【事件の表示】
　特許第２９９０３８８号「カード式パチンコ機」の請求項１に係る特許に対する特許異議の申立てについて、次のとおり決定する。
【結　論】
　訂正を認める。
　特許第２９９０３８８号の請求項１に係る特許を取り消す。
【理　由】
（１）手続きの経緯
　特許第２９９０３８８号の請求項１に係る発明（以下「本件発明」という。）は、平成３年４月２３日に特許出願され、平成１１年１０月１５日に特許の設定登録がなされた。
　これに対して、「細江裕実」より特許異議の申立てがなされ、平成１２年８月２９日付で取消理由通知がなされ、その指定期間内である平成１２年１１月１日に訂正請求がなされたものである。
　
（２）訂正の適否の判断
１．訂正の内容
　特許権者が求めている訂正の内容は、以下のａ、ｂのとおりである。
ａ．特許請求の範囲の訂正
　請求項１を下記のとおりに訂正。
「【請求項１】少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路と、前記球貸信号の発生または入賞の検出に基いて貸出用遊技媒体または賞品用遊技媒体を排出制御するためのパチンコ機制御回路を含むカード式パチンコ機において、前記貸出スイッチの１回の操作により貸し出される貸出要求数を所望の値に設定可能な貸出要求数設定手段と、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、前記貸出要求数記憶手段に所定の値が記憶されていることに基づいてパチンコ機に対して球貸信号を出力すると共にパチンコ機が該球貸信号を受信したと判定した時点で該球貸信号の出力を停止する球貸信号出力手段と、パチンコ機による遊技媒体の貸出処理に基づき前記貸出要求数記憶手段に設定されている値を更新する更新手段とを有するカード制御回路を設け、前記球貸信号の発生に基づいて貸出用遊技媒体を排出制御するためのパチンコ機制御回路を設けたことを特徴とするカード式パチンコ機。」
ｂ．発明の詳細な説明の訂正
　段落【００２９】を下記のとおりに訂正。
「【００２９】【課題を解決する手段】上記問題を解決するために、請求項１のカード式パチンコ機に係る発明は、少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路と、前記球貸信号の発生または入賞の検出に基いて貸出用遊技媒体または賞品用遊技媒体を排出制御するためのパチンコ機制御回路を含むカード式パチンコ機において、前記貸出スイッチの１回の操作により設定される貸出要求数を所望の値に設定可能な貸出要求数設定手段と、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、前記貸出要求数記憶手段に所定の値が記憶されていることに基づいてパチンコ機に対して球貸信号を出力すると共にパチンコ機が該球貸信号を受信したと判定した時点で該球貸信号の出力を停止する球貸信号出力手段と、パチンコ機による遊技媒体の貸出処理に基づき前記貸出要求数記憶手段に設定されている値を更新する更新手段とを有するカード制御回路を設け、前記球貸信号の発生に基づいて貸出用遊技媒体を排出制御するためのパチンコ機制御回路を設けたことを特徴とするものである。」
２．訂正の目的の適否、新規事項の有無及び拡張・変更の存否
　上記訂正事項ａのうち「遊技機」を「パチンコ機」と訂正するものは「遊技機」と「パチンコ機」の両方が用いられている用語を「パチンコ機」とするためのものであり、誤記の訂正に相当する。
　また、訂正事項ａの「球貸信号を出力する球貸信号出力手段」を「球貸信号を出力すると共にパチンコ機が該球貸信号を受信したと判定した時点で該球貸信号の出力を停止する球貸信号出力手段」に訂正するのは「球貸信号出力手段」が「球貸信号を出力する」時点を限定するものであるから特許請求の範囲の減縮に相当する。
　上記訂正事項ｂは、上記特許請求の範囲の訂正に整合させるために発明の詳細な説明の欄を訂正するものであり、明りょうでない記載の釈明に相当する。
　また、上記訂正事項ａおよびｂは新規事項の追加に該当せず、実質上特許請求の範囲を拡張又は変更するものではない。
　以上のとおりであるから、上記訂正は、特許法等の一部を改正する法律（平成６年法第１１６号）附則第６条１項の規定によりなお従前の例によるとされる，特許法第１２０条の４第３項において準用する平成６年法律１１６号による改正前の特許法第１２６条第１項ただし書、第２項及び第３項の規定に適合するので、当該訂正を認める。
　
（３）特許異議の申立てについての判断
１．本件発明は上記（２）で示したように上記訂正が認められるから、本件発明は、上記訂正に係る訂正明細書の特許請求の範囲の請求項１に記載された事項により特定されるとおりのものである。
（上記（２）１．訂正ａ参照）
２．異議申立ての理由の概要
　特許異議申立人細江裕実は、証拠として
甲第１号証（実願昭６２−１５４１４６号（実開平１−５９１８３号）のマイクロフィルム）、
甲第２号証（特開昭６３−１０２７８３号公報）、
甲第３号証（特開昭６４−０３４３９０号公報）、
甲第４号証（特開昭６４−０６４６８１号公報）、
甲第５号証（特開昭６３−１９２４７７号公報）、
甲第６号証（特開平０２−０４１５９２号公報）、
及び甲第７号証（特願平３−７３３８４号（特開平４−３０９３９１号））
を提出し、本件発明は下記理由により取り消すべきである旨主張している。
（ｉ）本件発明は、甲第１〜６号証に記載された発明に基いて、当業者が容易に発明をすることができたものであり、特許法第２９条第２項の規定により、特許を受けることができないものである。
（ｉｉ）本件発明は、先願明細書である甲第７号証に記載された発明であり、特許法第２９条の２の規定に該当するから、この特許は特許法第２９条の２の規定により、特許を受けることができないものである。
３．甲号各証
　甲号各証には、下記の事項が図面とともに記載されている。
（ｉ）甲第１号証（実願昭６２−１５４１４６号（実開平１−５９１８３号）のマイクロフィルム）
「プリペイドカードを用いてパチンコ玉の貸出しを行うカード式玉貸し機において、玉借り数を選択する複数の玉借り数選択スイッチと、該玉借り数選択スイッチで選択された玉借り数と挿入されたカードの貸出し可能残数とを比較する比較手段と、該比較手段の出力により、選択された玉借り数が貸出し可能残数以下である場合には選択された玉借り数に応じたパチンコ玉の貸出しを行う指令を出力する一方、選択された玉借り数が貸出し可能残数を越える場合には貸出し可能残数に対応するパチンコ玉の貸出しを行う指令を出力する払出指令手段と、上記払い出し指令手段の指令出力に基づいてパチンコ玉の貸出しを行う玉貸し手段とを備えたことを特徴とするカード式玉貸し機。」（実用新案登録請求の範囲）、
「利用者がプリペイドカードを挿入し玉借り数選択スイッチａを操作して玉借り数を選択すると、比較手段ｂは挿入カードの貸出し可能残数と玉貸し数選択スイッチａによって選択された玉借り数との大小関係を比較する。払出指令手段ｃは、比較手段ｂの比較結果に従い、選択された玉借り数が貸出し可能残数以下である場合には選択された玉借り数に応じたパチンコ玉の貸出しを行う指令を出力し、又、選択された玉借り数が貸出し可能残数を超える場合には貸出し可能残数に対応するパチンコ玉の貸出しを行う指令を玉貸し手段ｄに出力し、パチンコ玉の払い出しを実行させる。」（第５頁第１４行〜第６頁第５行）、
「第２図は、玉貸しシステム全体を示すブロック図であり、符号１はカード式玉貸し機で、該カード式玉貸し機１には、挿入されたプリペイドカードの磁気データの読取や搬送及びサーマルプリント等を行うカードリーダ・マイクロプロセッサ（以下、カードリーダＣＰＵという）及びパチンコ玉の貸出し処理やパチンコ玉貸出し可能残数（以下、残度数という）の表示等を行うサンド制御マイクロプロセッサ（以下、サンド制御ＣＰＵという）を備えている。」（第６頁第８行〜第１７行）、
「そして、上記カード式玉貸し機１内のカードリーダＣＰＵはプリペイドカードの搬送制御，該カードの磁気記憶部に記憶されたデータの読取り、及びサーマルプリンタによる残度数の印字処理等の処理制御を行い、サンド制御ＣＰＵはパチンコ玉の貸出し制御，残度数表示を行う。」（第７頁第６行〜第１１行）、
「又、この実施例において金額と玉貸し数とを関係付ける媒介変数として用いられる度数は従来通り１度数が１００円に値する単位であって玉貸し数、パチンコ玉貸出し可能残数等は全て度数によって表現及び処理される。」（第８頁第１３行〜第１７行）、
「以上のように構成されたカード式台間玉貸し機１は第５図に示されるような外観を有し、正面パネル４３には、プリペイドカードの残度数をＬＥＤ等の表示手段によって表示する残度数表示窓４４，利用者が度数に基づいてパチンコ玉の貸し出し数を選択するマイクロスイッチ等により構成される度数選択スイッチ４５（１度数），４６（３度数），４７（５度数）を備えている。」（第１５頁第１行〜第８行）、
「プリペイドカード５０の長手方向下端には該カードの発行年月日，発行券種及び残度数が印刷されたサーマルプリント部５１と、その上部に発行年月日，発行券種，カードを識別するコードとしての発券番号データを磁気記憶する磁気ストライプ部５２が設けられている。」（第１５頁第１８行〜第１６頁第３行）、
「ステップＳ６０で残度数を受信し記憶したサンド制御ＣＰＵは、残度数表示窓４４に確認された残度数を表示して（ステップＳ６１）、カード利用者に残度数を明示し、度数選択スイッチ４５〜４７によって利用者がパチンコ玉貸出し度数を入力するのを待機する。即ち、サンド制御ＣＰＵは、ステップＳ６２‐ステップＳ６３−ステップＳ６４−ステップＳ６２から成るループ処理を繰り返しながら、度数選択スイッチ４５〜４７の内のいずれかが押下されるのを待ち、度数選択スイッチ４５（度数１）が押下された場合はステップＳ６２で、度数選択スイッチ４６（度数３）が押下された場合はステップＳ６３で、度数
選択スイッチ４７（度数５）が押下された場合はステップＳ６４でこれを検出する。そして、度数選択スイッチで指定された貸出し度数と先程ステップＳ６０で記憶した残度数との大小関係を比較し（ステップＳ６５，ステップＳ６７，ステップＳ６９）、指定された貸出し度数が残度数を越えていなければ、度数選択スイッチによって指定された貸出し度数を玉貸し回数記憶レジスタＲ１に記憶し（ステップＳ６６，ステップＳ６８，ステップＳ７０）、又、指定された玉貸し度数が残度数を越えていれば、全残度数を玉貸し回数記憶レジスタＲ１に記憶してこれらの値を玉貸し回数とするので（ステップＳ７１）、残度数が５未満であれば、度数選択スイッチ４７（度数５）を押下することにより、全残度数を玉貸し回数とすることができる。」（第２３頁第４行〜第２４頁第１１行）、
「第８図に示される玉払出し処理において、サンド制御ＣＰＵは、まず、玉計測部３９に設けられた玉貸出しソレノイドを作動させ（ステップＳ２０１）、パチンコ玉の貸出しを開始し、玉計測部３９に設けられた玉貸出し確認スイッチがＯＮとなるまで玉貸出しソレノイドの作動状態を保持する（ステップＳ２０２）。そして、玉貸出し確認スイッチがＯＮとなると、１度数に対応するパチンコ玉の貸出しが終了するので、玉貸出しソレノイドをＯＦＦとして（ステップＳ２０３）、玉貸し回数記憶レジスタＲ１から１を減じ（ステップＳ２０４）、次にレジスタＲ１の値が０であるか否かを判別し（ステップＳ２０５）、０でなければ再びステップＳ２０１に復帰して１度数に対応するパチンコ玉の貸出しを実行し、ステップＳ２０５でレジスタＲ１の値が０となり、玉貸し回数が設定値に達するまでステップＳ２０１−ステップＳ２０２−ステップＳ２０３−ステップＳ２０４−ステップＳ２０５−ステップＳ２０１の処理を繰り返し、一連の動作として玉の貸出しを実行する。」（第２６頁第１３行〜第２７頁第１３行）、
「本考案によれば、パチンコ玉貸出し可能残数（残度数）の少ないプリペイドカードによってパチンコ玉の貸出しを受けるとき、該プリペイドカードの残度数を超える玉借り数を入力することによって、全残度数に相当するパチンコ玉を一度に払出すことができるので、プリペイドカードの挿入処理を反復したり度数選択スイッチを複数回操作したりする等の煩しさがない。更に、カードの貸出し可能残数よりも多い数の選択スイッチが操作されたことは、利用者が、選択した数までの借り出しを希望しているものであるから、貸出し可能残数全部を貸出しても問題はなく、従来のように、貸出し可能残数を超える選択スイッチが操作されたとき、何も動作せずそのままの状態で待機するより効率的である。」（第３１頁第１５行〜第３２頁第９行）、
が記載されている。
（ii）甲第２号証（特開昭６３−１０２７８３号公報）
「カード挿排口とカード読取装置と金額表示器を少なくとも有する球貸機能部をパチンコ機或いはその近傍に配設し、該球貸機能部の少なくともカード読取装置と金額表示器を電気的制御装置に接続するとともに、該電気的制御装置を当該パチンコ機の球排出装置の制御装置に接続し、上記球貸機能部のカード挿排口にカードが挿入され、或いは遊技中における入賞にもとづいて上記球排出装置を作動して球を当該パチンコ磯前面の受皿に排出するようにしたことを特徴とするパチンコ機のカード式球貸機構。」（特許請求の範囲）、
「各球貸機能部２の電気的制御装置（図示せず）を対応するパチンコ機の球排出装置４の制御装置（図示せず）に電気的に接続する」（第２頁右上欄第１行〜第４行）、
「カード２１は、第３図に示すように、紙、又は合成樹脂等からなる薄い板状であり、表面には長手方向のほぼ中央に磁気面等からなる情報書込部２２を有し、該情報書込部２２の上方にはカード発行年月日、発行時の金額を、情報書込部２２の下方にはカードの挿入方向を示す矢印２３と、減額目盛２４を夫々表示してある。」（第２頁左下欄第６行〜第１２行）、
「中央管理装置からそのカード２１の残高を受信すると、電気的制御装置が金額表示器８にその金額を表示する。遊技者が金額表示器８の表示を確認し、金額選択操作部１０を操作することにより所望する金額を選択すると、電気的制御装置が当該パチンコ機１の球排出装置４を作動して、遊技者が選択した金額に対応した数量の球を該パチンコ機１前面の受皿２５に排出させる。なお、第１図に示す実施例では、金額選択操作部１０を金額別の押釦で構成し、遊技者が操作した押釦の金額に相当する数量の球が排出されるようにしたが、金額選択操作部１０を１つの押釦で構成し、１回操作する毎に例えば２００円分の球が排出され、この押釦を繰り返し操作することにより所望の金額分だけ球を借りるようにしてもよい。また、金額選択操作部１０を別設せずに、カードを１回挿入する毎に、例えば２００円分の球が排出され、この操作を繰り返すことにより所望する金額分だけ球を借りるようにしてもよい。この様にして遊技者の所望する金額分の球が受皿２５に排出されると、これに伴って電気的制御装置の演算手段が作動し、排出した球に相当する金額を減算し、残高を金額表示器８に表示する。また、この残高は、中央管理装置に送られ、当該カード２１の識別情報とともに記億装置内に記憶される。」（第３頁左上欄第１９行〜左下欄第４行）、
「したがって、遊技者が球貸機能部２の金額選択操作部１０を操作すると、選択した金額に対応する所定数の球が流下し、これらの球は球排出樋３１を介してパチンコ機１前面の受皿２５に排出される。例えば、１００円に対して１回作動し２５個の球を貸し出すと予め設定した球貸機構において、遊技者が２００円分の金額選択操作部１０を操作すると、球排出装置４が２回作動して５０個の球を流下し、受皿２５に排出する。また、上記した球排出装置４は、遊技中に打球が入賞口に入る等して入賞態様が形成されると、電気的制御装置からの信号を受けて作動し、入賞態様に対応する数、例えば１３個の球を流下し、受皿２５に賞球として排出する。この様に、本発明においては、球貸出排出と賞球排出とを１つの排出装置４で行うようにした。」（第３頁左下欄第１９行〜右下欄第１４行）、
「なお、上記した実施例では、カード２１に金額情報を記憶させないで中央管理装置にカード識別情報とともに記憶させることにより不正行為の発生の防止を図ったが、本発明は、これに限定されるものではなく、カード２１の情報書込部２２に、発行時に投入された金額、又は投入された金額と等価値の球数とを書き込み記憶するようにしてもよい。」（第４頁右上欄第１８行〜左下欄第５行）、
が記載されている。
（iii）甲第３号証（特開昭６４−０３４３９０号公報）
「パチンコカード２２には、たとえば貸出し可能な玉数データが記憶されており、当該パチンコカード２２をカード挿入口３４０から挿入することによって、パチンコ遊技機３００からパチンコ玉が貸出されるように構成されている。」（第２頁右下欄第７行〜第１２行）、
「磁気ストライプ８４は、磁気的にデータの書込みが可能な領域で、書込まれたデータは機械的に読出し可能である。磁気ストライプ８４には、たとえば第７図に図解的に示すようなデータ、すなわち、販売店名、販売日、使用期限、使用可能店コード（パチンコカード２２を販売した店に限らず、業務提携などしている店であって、このパチンコカードによってパチンコ玉の借出しが可能な店のコード）、カード金額、精算の有無（カードが精算されたか否かを現わすデータ）、使用済額（カード金額３，０００円のうちいくらの金額が既にパチンコ玉の貸出しに用いられたか）などのデータが記憶されている。」（第５頁左下欄第２行〜第１４行）、
「金額表示器３４２および貸玉信号指令ボタン３４４が設けられている。金額表示器３４２は、パチンコカードに記憶された貸玉可能な金額を表示するためものである。貸玉信号指令ボタン３４４は、「１，０００円」「５００円」「３００円」「２００円」「１００円」の５つのボタンを含み、いずれかのボタンが押されることにより、表示金額に応じた金額分のパチンコ玉の貸出表示をするものである。そして、パチンコカードを挿入し貸玉信号指令ボタン３４４を操作することにより、パチンコ玉が景品玉出口３２３から貸出されるように構成されている。なお、貸玉信号指令ボタンは、上記実施例に限らず、単一の金額ボタン（１００円，２００円など）を設け、金額ボタンの押圧毎に対応した貸玉を払出すようにしてもよい。」（第７頁左上欄第３行〜第１８行）、
「これら入賞玉検出器の検出出力に基づいて、遊技用媒体払出手段の一例である景品玉払出装置３５２が駆動制御され、景品玉払出装置内のパチンコ玉を景品玉通路３５４側に送り出し、所定量の景品玉を景品玉出口３２３から打球供給機３２４（第８図参照）に所定量払出すように構成されている。」（第７頁右上欄第１８行〜左下欄第４行）、
「図中、３４０はカード挿入口であり、３４６はカード制御ボックス、３４８は選択制御ボックスであり、貸玉信号指令ボタン３４４（第８図参照）に対応しているものである。このカード挿入口３４０からカードを挿入し、貸玉信号指令ボタン３４４（第８図参照）を操作することにより、後述するように、景品玉払出装置３５２が駆動制御され、所定量のパチンコ玉が貸出されるように構成されている。」（第７頁左下欄第１８行〜右下欄第６行）、
「パチンコ遊技機３００の各機構は、第１１図に示すように、制御部３７８によって制御される。」（第８頁右下欄第１行〜第３行）、
「ステップＳ８により、カードデータの読取処理が行なわれ、ステップＳ９により金額データを表示する。さらに、ステップＳ１０に進み、選択ボタンの入力があるか否かの判断がなされ、入力があれば、ステップＳ１１に進み、選択額と残額の大小の判断を行ない、残額に比べ選択額の方が大きい場合、すなわち、挿入されたパチンコカードに残っている金額等価価値よりも借出さんとしているパチンコ玉（遊技用媒体）の金額等価価値の方が大きい場合は、ステップＳ１２に進み、エラー処理がなされる。一方、選択額の方が残額よりも小さい場合または等しい場合は、ステップＳ１３に進み、選択金額に応じてモータドライバの制御を行ない、ステップＳ１４により、選択金額に応じた貸玉数の出力があったと判断されるまでその制御を継続させて、パチンコ玉の貸出しを行なう。次に、ステップＳ１５に進み、残額表示を行ない、ステップＳ１６により残額があるか否かの判断を行ない、残額がある場合は、ステップＳ１７に進み、カードの金額データを書き換える。」（第９頁右上欄第６行〜左下欄第５行）、
が記載されている。
（iv）甲第４号証（特開昭６４−０６４６８１号公報）
「遊技開始にあたり遊技者はまず適当な対価を払って遊技媒体の数量を記録した記録媒体を入手する。この記録媒体を書込・読取手段の挿入口に挿入し遊技を開始する。また、記録媒体は、パチンコ台の側面に取付けられた薄型自動玉貸機に現金を投入することによって自動的にカード挿入口にセットされる方式でもよい。また、薄型自動玉貸機から玉を借り、その玉を持ち球皿に入れゲームを開始し、最後の精算時に操作ボタンを押すことにより、記録媒体が出てくる方式でもよい。」（第２頁左下欄第２行〜第１２行）、
「上皿１３の下方には持ち球を記録媒体（以後カードと称する）Ｃを挿入するカード挿入口２１、登録持ち球を表示する表示部２２、各種操作ボタン２３，２３ａ…を有するスイッチ部２５などを備えた操作盤２０が設けられている。パチンコ機Ｐの盤面１０背後には第２図に示すように、上方にパチンコ球の流口３０を受けて持ち球皿１３に至る送球管３２の中間にはパルス発信器３３ａと、信号によって発停する発停器３４を備え、制御器５０からの指令によって所定個数のパチンコ球を送球する送球ポンプ３５が設けられている。」（第３頁左上欄第３行〜第１４行）、
「各パルス発信器３３ａ，３３ｂや各センサ１５および操作盤２０からの情報を受け表示部２２への表示や各種の操作指令を発する制御器５０は前記操作盤２０の後方に備えられており、入出力部５２、記憶部５３および情報を処理し指令を発する制御部５１とから成っている。」（第３頁右上欄第１７行〜左下欄第２行）、
「遊技者が既に他のゲーム機Ｐで自己の持ち球を入手し、カードＣに記録ずみの場合はこのカードＣを挿入口２１に差し込めば登録持ち球として表示部２２に表示される。そして、スイッチ部２５の操作ボタン２３，２３ａ…のうち適切な一つを押すと持ち球皿１３にパチンコ球が供給され、供給数に対応する個数は表示盤上の個数から差し引かれて修正表示される。」（第３頁左下欄第６行〜第１３行）、
「持ち球値１３内に実球が乏しくなったらスイッチ部２５の操作ボタン２３，２３ａ…のうち適切な一つを押して実球の供給を受ける。言うまでもなくこの際供給される実球は表示部２２に表示されている登録持ち球を超えることはない。そして、このとき供給されるパチンコ球は供給タンク３１から出て供給ポンプ３５を通過する際に計数され、パルス発信器３３ａから制御器５０に伝達され元の登録数から減算されて再表示される。発停器３４は制御器５０の指令により供給ポンプ３５の発進停止を行なうものである。前記供給ポンプ３５によるパチンコ球の供給は上記のような遊技者の請求に基づく場合以外にセーフ玉による賞球の払出し用として使用することが可能である。」（第３頁右下欄第１行〜第１５行）、
が記載されている。
（ｖ）甲第５号証（特開昭６３−１９２４７７号公報）
「第９図は、この発明の一実施例が適用された他のパチンコ機１３０の正面図である。ここに示すパチンコ機１３０の特徴は、通常のパチンコ機に、玉貸機の機能を付加したことである。より詳しく言うと、パチンコ機１３０の前面枠左側には、玉貸機構のための硬貨投入口１３２、硬貨返却口１３４が設けられている。また、より好ましくは、図示のように、紙幣挿入口１３６が設けられていてもよい。第９図に示すパチンコ機１３０では、これら硬貨投入口１３２または紙幣挿入口１３６から硬貨または紙幣が投入または挿入されたとき、投入金額に応じたパチンコ玉が貸し出されて、該貸し出されたパチンコ玉が自動的に打球待機樋１３８へ払出されるようにされている。」（第６頁右上欄第１５行〜左下欄第９行）、
「このパチンコ機１３０における景品玉払出装置４２の駆動制御回路が、第１１図に示されている。第１１図の駆動制御回路も、第８図で説明したパチンコ機１０の駆動制御回路とほぼ同様である。ただ、次の点が異なっている。すなわち、第１１図の駆動制御回路は、景品玉払出装置４２が、景品玉払出動作の他に、玉貸し時における貸出玉の払出し動作も兼用するように制御する。詳しく言うと、硬貨判別器１５０および紙幣判別器１５２の出力が中央処理装置１０８へ与えられると、中央処理装置１０８は駆動モー夕６８の駆動を開始する。よって、景品玉貯留タンク４０内に貯留されたパチンコ玉の払出しが開始する。払出されるバンチコ玉は、景品玉検出器７４で１個ずつ検出され、景品玉検出器７４からの入力パルスがたとえば２５個になったとき、中央処理装置１０８は駆動モー夕６８を停止制御する。この結果、玉貸出しのために硬貨を硬貨投入口１３２から投入することによ，り、景品玉払出し装置４２が駆動されて、たとえば２５個のパチンコ玉が払出され、自動的に打球待機樋１３８へパチンコ玉が補給されることになる。なお、硬貨判別器１５０の出力に基づいて２５個のパチンコ玉が払出され、紙幣判別器１５２の出力に基づいて別の数の景品玉が払出されるようにしてもよいし、あるいは硬貨の場合と同様に２５個のパチンコ玉が払出されて、釣銭が遊技者に返却されるようにしてもよい。」（第６頁右下欄第５行〜第７頁左上欄第１３行）、
が記載されている。
（vi）甲第６号証（特開平０２−０４１５９２号公報）
「本発明は紙幣の投入に基づいて硬貨またはいわゆるトークン（但しトークンとはゲームコインのような疑似硬貨をいう）を払出す装置を制御する装置に関するもので、特に自動販売機（自販機とも略す）、両替機、あるいはいわゆる玉貸機（即ちトークンを貸出す機械）等に汎用的に利用し得るようにした硬貨／トークン払出制御装置に関する。」（第１頁左下欄第１８行〜右下欄第５行）、
「同図において１は本装置の主体となる制御部、２は紙幣識別機、３は硬貨またはトークンを払出す硬貨／トークン払出機、４は硬貨の末払金額、またはトークンの未払出枚数等を表示する表示器、５は硬貨またはトークンの払出枚数を設定する払出枚数設定器、６は外部へ入金信号を出力する入金信号出力部である。」（第２頁右上欄第８行〜第１４行）、
「また１１枚から９９枚までの払出枚数を設定した場合には、トークンをこの設定枚数だけ払出すものとする。」（第２頁左下欄第１２行〜第１４行）、
「次に払出枚数設定器５を”１１”〜”９９”に設定した場合には、トークンをこの設定枚数だけ払出す玉貸機の制御にこの制御装置を使用することができる。即ちステップＳ１〜Ｓ９，分岐Ｎの手順を経て、ステップＳ１０で表示器４に残カウンタの値（つまり今後払出すべきトークンの全枚数）を表示させたのち、硬貨／トークン払出機３を介してトークンを１枚払出させて残カウンタをデクリメントする（ステップＳ１１〜Ｓ１３）、そしてさらにステップＳ１４，分岐Ｎ〜Ｓ２１→Ｓ２２，分岐Ｎを経て、ステップＳ２２Ａで残カウンタの値を表示させ、ステップＳ１１に戻る。以下前記のステップＳ１１〜Ｓ２２Ａの手順を繰返し、設定枚数分のトークンの払出が終ると、ステップＳ１４，分岐Ｙへ抜け、ステップＳ１５で０円を表示し待機状態へ戻る。」（第３頁右上欄第１９行〜左下欄第１５行）、
が記載されている。
（vii）甲第７号証（特願平３−７３３８４号（特開平４−３０９３９１号））
「【００１０】図１は、本発明に係る玉払出装置が用いられている弾球遊技機の一例のパチンコ遊技機６０およびカード処理機６２を示す正面図である。」（第３欄第４行〜第６行）、「カード処理機６２にはカードリーダライタが設けられたカードリーダライタ制御部１３４が設けられており、カード挿入・排出口１３３からカードを挿入すればそのカードに記録されている記録情報がこのカードリーダライタにより読取れる。その読取られたカード情報に含まれている挿入時のカード残額が挿入時残高表示器１３１により表示される。この挿入時残高表示器１３１は、パチンコ遊技機６０側に設けてもよく、また、幕板等の他の場所に設けてもよい。このカード処理機６２にはＣＰＵ，ＲＯＭ，ＲＡＭ等が内蔵されたカード処理機制御部１３５が設けられており、このカード処理機制御部１３５よりカード処理機６２全体が制御される。」（第３欄第１２行〜第２３行）、
「遊技者がこの玉貸可ＬＥＤ（玉貸可表示器）４８ｄの点灯していることを確認して玉貸ボタン４４ｃを押圧操作する。すると、後述するたとえばロータリスイッチ等からなる貸玉額設定スイッチ１３７によって予め設定されている一回の玉貸操作により払出される貸玉額（以下、単に貸玉額という）分の遊技玉（パチンコ玉）が打球供給皿５９内に払出される。」（第３欄第３１行〜第３８行）、
「【００１８】カード処理機６２の裏面側には、１回の玉貸操作により払出される貸玉額を予め入力設定するための貸玉額設定スイッチ１３７が設けられており、図示するように、１００円，２００円，３００円，４００円，５００円の５種類の金額が入力設定できるようになっている。たとえば遊技場の係員により図示のように貸玉額が３００円に設定されればその３００円が貸玉額としてカード処理機制御部１３５のマイクロコンピュータ３００（図１９参照）に記憶される。そして、遊技者がカードをカード挿入・排出口１３３に挿入し、玉貸ボタン４４ｃを押圧操作することにより自動的にこの貸玉額（３００円）分のパチンコ玉が打球供給皿５９内に払出されカード残額から減額されることになる。」（第５欄第４１行〜第６欄第３行）、
「前記玉払出器６３と払出制御基板ボックス１４５内の払出制御基板とにより本発明の玉払出装置が構成される。」（第６欄第３３行〜第３５行）、
「この始動入賞玉検出スイッチ１２８ａの検出信号はゲーム制御基板のゲーム制御用マイクロコンピュータ３７０を介して払出制御基板の払出制御用マイクロコンピュータ３５０（図２０参照）に入力され後述する制御に用いられる。」（第６欄第４２行〜第４６行）、
「玉貸ボタン４４ｃを押圧操作することにより玉貸スイッチ（玉貸操作検出器）４４ｄがＯＮになる。」（第１１欄第４８行〜第５０行）、
「【００７１】遊技場の係員が貸玉額設定スイッチ１３７（図２参照）を操作して貸玉額を設定することにより、その設定信号が検出回路３０９を介してカード処理機制御用マイクロコンピュータ３００に入力される。」（第２０欄第５０行〜第２１欄第３行）、
「遊技者が貸玉ボタン４４ｃ（図１参照）を押圧操作すれば、その押圧操作が玉貸操作検出器４４ｄにより検出され、その検出信号が中継端子基板１３８，検出回路３０９を介してカード処理機制御用マイクロコンピュータ３００に入力される。」（第２１欄第７行〜第１１行）、
「【００７３】次に、カード処理機制御用マイクロコンピュータ３００は以下の回路や機器に対して制御信号を出力する。【００７４】ＬＥＤ駆動回路３１０，中継端子基板１３８を介して、玉貸可表示器４８ｄ，返却可表示器４６ｄ，カード残高表示器５０（図１参照）にそれぞれ表示用制御信号を出力する。ＬＥＤ駆動回路３１０を介して挿入時残高表示器１３１（図１参照）に表示用制御信号を与える。ランプ駆動回路３１１を介して、カード挿入表示器１３２，処理器使用可表示器１３０にそれぞれ表示制御信号を与える。カードリーダライタ制御部１３４（図１，図２参照）に、後述する現在の残高データ，カード書込排出指令信号，残高ゼロデータ，カード回収指令信号を出力する。中継端子基板１３８を介して払出制御用マイクロコンピュータ３５０に、後述する玉貸要求信号を出力する。」（第２１欄第３３行〜第４８行）、
「【００７５】図２０は、払出制御基板ボックス１４５（図２参照）に収納されている払出制御基板の払出制御回路を示すブロック図である。【００７６】払出制御回路には払出制御用マイクロコンピュータ３５０が設けられている。」（第２２欄第６行〜第１０行）、
「カード処理機制御用マイクロコンピュータ３００から中継端子基板１３８，情報入力回路３６５を介して、玉貸要求信号が入力される。」（第２３欄第２３行〜第２５行）、
「一方、自己診断の結果異常がないと判断されればＳ３に進み、貸玉額の設定読込，端数表示モードの読込が行なわれる。この「玉額設定読込」とは、図２で示した貸玉額設定スイッチ１３７より設定された貸玉額をカード処理機制御用マイクロコンピュータ３００に読込む処理」（第２４欄第３２行〜第３７行）、
「一方、遊技者が玉貸ボタン４４ｃ（図１参照）を押圧操作すれば、Ｓ１３に進み、挿入カードの現在残高すなわちカード残高表示器５０（図１参照）に表示されている残高が貸玉額設定スイッチ１３７（図２参照）で設定された設定額以上であるか否かの判断が行なわれる。そして、現在残高が設定額以上であった場合にはＳ１４により貸玉額にその設定額をセットする処理がなされてＳ１６に進む。一方、現在残高が設定額未満であった場合にはＳ１５により貸玉額に現在残高をセットした後にＳ１６に進む。つまり、挿入カードの現在残高額が設定額に満たない場合には、その設定額を貸玉額にセットしてその設定額分のパチンコ玉を払出すわけにはいかないため、挿入カードによって払出が可能な最高金額すなわち挿入カードの現在残高を貸玉額にセットする処理がなされるのである。」（第２５欄第３４行〜第４８行）、
「次にＳ１７に進み、払出制御用マイクロコンピュータに玉貸要求信号の出力を開始する制御がなされる。次にＳ１８に進み、タイマＴ１がセットされ、Ｓ１９に進み、払出制御用マイクロコンピュータから玉貸準備信号が入力されたか否かの判断がなされる。払出制御用マイクロコンピュータでは、Ｓ１７による玉貸要求信号を受けて、玉貸が可能な状態であれば玉貸のための準備制御を行なった後にＳ５５によりカード処理機制御用マイクロコンピュータに玉貸準備信号を出力する処理がなされる。」（第２６欄第５行〜第１４行）、
「このタイマＴ３が終了する以前において払出制御用マイクロコンピュータから貸玉完了信号の入力があった場合にはＳ３５に進む」（第２７欄第２３行〜第２５行）、
「一方、Ｔ３が終了する以前に払出制御用マイクロコンピュータから玉貸完了信号が入力されればＳ３５により、現在残高から単位額を減算し、貸玉額から単位額を減算する処理がなされる。払出制御用マイクロコンピュータから玉貸完了信号が入力されたということは、パチンコ遊技機側で単位額（たとえば１００円）に相当するパチンコ玉が貸出されたことを意味するために、その貸出されたパチンコ玉に相当する金額である単位額を、挿入カードの現在残高から減算するとともにＳ１４，Ｓ１５でセットされた貸玉額からその単位額を減算するのである。」（第２７欄第３９行〜第４９行）、
「次にＳ３７に進み、玉貸要求信号の出力が停止され、Ｓ３８に進み、貸玉額＝０であるか否かの判断がなされる。Ｓ１４，Ｓ１５によってセットされた貸玉額に相当するパチンコ玉のうちまだ払出されていない未払出分が残っている場合には貸玉額が「０」となっていないためにＳ３８によりＯＮの判断がなされＳ１７に進み、払出制御用マイクロコンピュータに再度玉貸要求信号の出力がなされる。」（第２８欄第８〜１５行）、
「【００９０】以上説明したように、パチンコ遊技機側で単位額（たとえば１００円）に相当するパチンコ玉（たとえば２５個）が貸出されるごとに払出制御用マイクロコンピュータからカード処理機制御用マイクロコンピュータに玉貸完了信号が出力される」（第２８欄第４８行〜第２９欄第２行）、
「【００９８】次に、タイマＴ７がタイムアップするまでの間に、Ｓ１７のステップに従ってカード処理機制御用マイクロコンピュータ３００から玉貸要求信号が送信されてくれば、Ｓ５１によりＹＥＳの判断がなされてＳ５２に進み、玉貸動作のための制御が行なわれる。このように、Ｔ７が終了するまでは玉貸動作のための制御を優先させ、Ｔ７が終了して初めて入賞玉に基づく景品玉の払出制御を行なうようにしたために、設定額（Ｓ１４，Ｓ１５を参照）が２００円以上の場合に、景品玉の払出制御よりも玉貸動作のための制御のほうが優先されることになる。【００９９】Ｓ５２により、タンク玉センサが玉を検出しているか否かの判断が行なわれ、検出していなければＳ５３に進み玉貸しによるパチンコ玉の払出し動作が不能動化されるが、検出しておればＳ５４に進み、未払出数にＰをセットし、払出状態を「玉貸」にセットする処理が行なわれる。「未払出数」とは、払出すべきパチンコ玉の中でまだ払出されていない払出残り数のことであり、Ｓ５４および後述するＳ５９，Ｓ６２，Ｓ６３によりそれぞれの値がセットされるとともにパチンコ玉が１個払出されるごとにＳ８９により「１」ずつ減算される。なお、Ｓ５４のＰとは、単位額（Ｓ３５を参照）に相当するパチンコ玉の個数でありたとえば２５個に定められている。次にＳ５５に進み、カード処理機制御用マイクロコンピュータ３００に玉貸準備信号を出力する処理が行なわれてＳ６９に進む。【０１００】一方、始動入賞口１２５ａ，１２５ｂ，１２５ｃのいずれかにパチンコ玉が入賞すれば入賞玉センサＡにより検出され、Ｓ５６によりＹＥＳの判断がなされてＳ５８に進み、入賞記憶数＝０であるか否かの判断が行なわれる。この「入賞記憶数」とは、前述したＳ１２０により「１」ずつ加算され、Ｓ１０６より「１」ずつ減算されるものであり、始動入賞口１２５ａに入賞した入賞玉の個数を意味する。そして、入賞記憶数が０でない場合にＳ５９に進み、未払出数にｎ個（たとえば７個）がセットされ、払出状態を「ｎ払出」にし、払出表示ランプ１２６の点灯を開始する処理が行なわれた後にＳ６９に進む。つまり、パチンコ玉が始動入賞口１２５ａに入賞すれば１個の入賞につきｎ個（たとえば７個）の景品玉が払出されることになる。」（第３０欄第４９行〜第３１欄第３９行）、
が記載されている。
４．対比・判断
ａ．当審が通知した取消理由の理由２において特許法第２９条の２第１項の引用文献として引用した先願明細書である甲第７号証（特願平３−７３３８４号（特開平４−３０９３９１号））に記載された発明（以下「先願発明」という）と本件発明を比較する。
先願発明には（３）３．（vii）で示したように、
「現在残高が設定額以上であった場合にはＳ１４により貸玉額にその設定額をセットする処理がなされてＳ１６に進む。一方、現在残高が設定額未満であった場合にはＳ１５により貸玉額に現在残高をセットした後にＳ１６に進む。」（第２５欄第３９行〜第４３行）、
「次にＳ１７に進み、払出制御用マイクロコンピュータに玉貸要求信号の出力を開始する制御がなされる。」（第２６欄第５行〜第６行）、
「このタイマＴ３が終了する以前において払出制御用マイクロコンピュータから貸玉完了信号の入力があった場合にはＳ３５に進む」（第２７欄第２３行〜第２５行）、
「次にＳ３７に進み、玉貸要求信号の出力が停止され」（第２８欄第８行〜第９行）、
および、第２１図および第２２図に、Ｓ１４またはＳ１５で貸玉額に現在残高をセットした後、Ｓ１９からＳ２９に進み、Ｓ３１で払出制御用マイコンから貸玉完了信号の入力があったことを確認した後、Ｓ３７で玉貸要求信号の出力を停止すること、
が記載されており、
　これらの記載から、先願発明の構成要素である、「カード」「球貸ボタン４４ｃ」「カード処理機制御用マイクロコンピュータ３００」「払出制御用マイクロコンピュータ３５０」「貸玉額設定スイッチ１３７」「貸玉額」「球貸し額から単位額を減算する処理」「設定額」「玉要求信号」は、
　本件発明における、「遊技用のカード」「貸出しスイッチ」「カード制御回路」「パチンコ機制御回路」「貸出要求数設定手段」「貸出要求数記憶手段」「更新手段」「所定の値」「球貸信号」にそれぞれ相当し、また、先願発明もカード式のパチンコ機であるから、
　両者は、「少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路と、前記球貸信号の発生または入賞の検出に基いて貸出用遊技媒体または賞品用遊技媒体を排出制御するためのパチンコ機制御回路を含むカード式パチンコ機において、前記貸出スイッチの１回の操作により貸し出される貸出要求数を所望の値に設定可能な貸出要求数設定手段と、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、前記貸出要求数記憶手段に所定の値が記憶されていることに基づいてパチンコ機に対して球貸信号を出力すると共に該球貸信号の出力を停止する球貸信号出力手段と、パチンコ機による遊技媒体の貸出処理に基づき前記貸出要求数記憶手段に設定されている値を更新する更新手段とを有するカード制御回路を設け、前記球貸信号の発生に基づいて貸出用遊技媒体を排出制御するためのパチンコ機制御回路を設けたことを特徴とするカード式パチンコ機。」である点で一致するが、
　本件発明では、球貸信号出力手段は、「パチンコ機が該球貸信号を受信したと判定した時点で球貸信号の出力を停止」するのに対して、先願発明では、球貸信号出力手段は、「パチンコ機から球貸（玉貸）完了信号を受信したと判定した時点で球貸信号の出力を停止」する点で相違する。
　しかしながら、本件発明は、パチンコ機（制御回路）において、「ＢＵＳＹ信号出力をＯＮ」（Ｓ１０３）して「貸球排出処理」（Ｓ１０４）を行い、「排出終了か？」（Ｓ１０５）を確認して、「ＹＥＳ」なら「ＢＵＳＹ信号出力停止」（Ｓ１０６）を行う（段落【０１０９】および図１４）との記載、および、カード制御回路において、「ＢＵＳＹ信号出力立上がりか？」（Ｓ２３）を確認して、「ＹＥＳ」なら「球貸信号出力停止」（Ｓ２４）（段落【００９３】〜【００９４】および図６）を行い、その後「ＢＵＳＹ信号出力立ち下がりか？（Ｓ２５）が成立するまでは、新たな球貸処理は行わないことによって」「排出処理動作が終了したと判定された場合、Ｓ１０６で上記Ｓ１０３ において出力させたＢＵＳＹ信号が出力停止される一方（図９および図１１のセ参照）、排出処理動作は終了していないと判定された場合には上記Ｓ１０４ にジャンプする。」（段落【０１１１】および図９）に記載される構成である。
　このことから、本件発明はカード制御回路が出力する球貸信号は、パチンコ機が球貸信号を受信したと判定すると即座に停止する信号（図９、ホ）であっても、パチンコ機が貸出処理を完了した時点で応答するＢＵＳＹ信号の立ち下がりを判定するまで、格別の動作を行う構成とはなっておらず、パチンコ機が貸出処理を完了するまで待機状態のままであることから、上記応答信号に係る作用効果に関して先願発明のようにパチンコ機が貸出処理を完了した時点で応答する球貸信号を出力する構成と動作上は実質的に差異がない。
　したがって、カード制御回路が球貸信号の出力を停止する契機となる応答信号として、先願発明のようにパチンコ機が貸出処理を完了した時点で応答する信号にかえて、本件発明のように球貸信号を受信すると即座に応答する信号としても、本件特許明細書には前記作用効果に係る記載がなく、しかも、動作上は実質的な差異がないことから、上記相違点は応答するタイミングをどの時点とするかという単なる設計上の微差にすぎない。
　よって、本件発明はその構成要素の全てを実質的に先願発明が備えており、特許法第２９条の２第１項の規定に該当するから、特許を受けることができないものである。
ｂ．当審が通知した取消理由の理由１において特許法第２９条第２項の引用文献として引用した甲第１号証（実願昭６２−１５４１４６号（実開平１−５９１８３号）：以下「刊行物１」という。）に記載された発明と本件発明を比較する。
　刊行物１に記載された発明の構成要素である、「カード５０」「玉借り数選択スイッチａ」「カードリーダＣＰＵ」「サンド制御ＣＰＵ」「玉借り数選択スイッチａ」「玉貸し回数記憶レジスタＲ１」「指定された玉貸し度数」「玉貸し回数記憶レジスタＲ１から１を減じ」は、
　本件発明における、「遊技用のカード」「貸出しスイッチ」「カード制御回路」「パチンコ機制御回路」「貸出要求数設定手段」「貸出要求数記憶手段」「所定の値」「更新手段」にそれぞれ相当し、また、刊行物１に記載の発明もカード式のパチンコ機であるから、
　両者は、「少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路とを含むカード式パチンコ機において、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、パチンコ機による遊技媒体の貸出処理に基づき前記貸出要求数記憶手段に設定されている値を更新する更新手段とを有するカード制御回路を設けたことを特徴とするカード式パチンコ機。」である点で一致する。
　これに対して、刊行物１に記載された発明には
　「球貸信号の発生または入賞の検出に基いて貸出用遊技媒体または賞品用遊技媒体を排出制御するためのパチンコ機制御回路」、
「貸出スイッチの１回の操作により貸し出される貸出要求数を所望の値に設定可能な貸出要求数設定手段」、
「貸出要求数記憶手段に所定の値が記憶されていることに基づいてパチンコ機に対して球貸信号を出力すると共にパチンコ機が該球貸信号を受信したと判定した時点で該球貸信号の出力を停止する球貸信号出力手段」、
「球貸信号の発生に基づいて貸出用遊技媒体を排出制御するためのパチンコ機制御回路」を備えていない点で本件発明と相違する。
　ここで、「球貸信号の発生または入賞の検出に基いて貸出用遊技媒体または賞品用遊技媒体を排出制御するためのパチンコ機制御回路」および「球貸信号の発生に基づいて貸出用遊技媒体を排出制御するためのパチンコ機制御回路」については、（３）３．に示したように甲第２号証（（特開昭６３−１０２７８３号公報）：以下「刊行物２」という。）、甲第３号証（（特開昭６４−０３４３９０号公報）：以下「刊行物３」という。）、甲第４号証（（特開昭６４−０６４６８１号公報）：以下「刊行物４」という。）、および、甲第５号証（（特開昭６３−１９２４７７号公報）：以下「刊行物５」という。）に記載されているようにカード式パチンコ機の分野において周知技術にすぎない。
　また、「貸出スイッチの１回の操作により貸し出される貸出要求数を所望の値に設定可能な貸出要求数設定手段」については、（３）３．（vi）に示したように甲第６号証（（特開平０２−０４１５９２号公報）：以下「刊行物６」という。）に記載されている如くカード式パチンコ機の分野において公知の技術的手段である。
　さらに、相違点である「貸出要求数記憶手段に所定の値が記憶されていることに基づいてパチンコ機に対して球貸信号を出力すると共にパチンコ機が該球貸信号を受信したと判定した時点で該球貸信号の出力を停止する球貸信号出力手段」を備えた点については（３）３．（ｉ）に示したように、刊行物１に記載された発明では、カードリーダＣＰＵではなくサンドＣＰＵの所定サイクルで判定を行っている点、および、サンドＣＰＵが受信する信号が、本件発明では球貸し信号を受信すると即座に応答する信号であるのに対して、刊行物１に記載された発明では、パチンコ機の玉貸出し確認スイッチがＯＮと時点で応答する信号である点で相違するが、本件特許明細書にも前記相違に係る効果の記載がなく、また、前記相違に基づく格別の効果もみられず、どちらのＣＰＵで制御するかという点は前述したように周知技術に基づく相違にすぎず、応答するタイミングをどの時点とするかという点は（３）４．（ａ）に示したように単なる設計的事項にすぎない。
　したがって、本件発明はその構成要素において刊行物１に記載された発明と構成において相違するところはあるものの、この相違点に係る構成は刊行物６に記載の発明に記載され、あるいは、刊行物２乃至５に開示されているように周知技術にすぎないものであって、当業者であれば、刊行物１および６に記載された発明から容易に想到し得たものにすぎないものであるから、特許法第２９条第２項の規定に該当し、特許を受けることができないものである。
　ｃ．本件発明の特許権者は平成１３年３月２２日付の審尋に対する回答書の中で本件発明の請求項１の再訂正の機会を与えるよう希望しているが、たとえこのように本件発明の請求項１を訂正しても「パチンコ機」を「パチンコ機制御回路」と訂正するだけで、記載をさらに明りょうにする訂正にすぎず、上記（３）４．で行った当審の判断に何ら影響を与える内容の訂正ではない。
　
　（４）むすび
　以上のとおりであるから、本件発明は、特許法第２９条の２第１項の規定、および、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月１２日（２００１．６．１２）
【訂正の要旨】
　訂正の要旨
　特許第２９９０３８８号発明の明細書中特許請求の範囲
「【請求項１】少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路と、前記球貸信号の発生または入賞の検出に基いて貸出用遊技媒体または賞品用遊技媒体を排出制御するためのパチンコ機制御回路を含むカード式パチンコ機において、前記貸出スイッチの１回の操作により貸し出される貸出要求数を所望の値に設定可能な貸出要求数設定手段と、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、前記貸出要求数記憶手段に所定の値が記憶されていることに基づいて遊技機に対して球貸信号を出力する球貸信号出力手段と、遊技機による遊技媒体の貸出処理に基づき前記貸出要求数記憶手段に設定されている値を更新する更新手段とを有するカード制御回路を設け、前記球貸信号の発生に基づいて貸出用遊技媒体を排出制御するためのパチンコ機制御回路を設けたことを特徴とするカード式パチンコ機。」
とあるのを、特許請求の範囲の減縮を目的として
「【請求項１】少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路と、前記球貸信号の発生または入賞の検出に基いて貸出用遊技媒体または賞品用遊技媒体を排出制御するためのパチンコ機制御回路を含むカード式パチンコ機において、前記貸出スイッチの１回の操作により貸し出される貸出要求数を所望の値に設定可能な貸出要求数設定手段と、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、前記貸出要求数記憶手段に所定の値が記憶されていることに基づいて
パチンコ機
共にパチンコ機が該球貸信号を受信したと判定した時点で該球貸信号の出力を停止する
パチンコ機
　特許第２９９０３８８号発明の明細書の記載を平成１２年１１月１日付訂正明細書のとおり、すなわち、明りょうでない記載の釈明を目的として、明細書原本における、段落【００２９】を下記のとおりに訂正。
「【００２９】【課題を解決する手段】上記問題を解決するために、請求項１のカード式パチンコ機に係る発明は、少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路と、前記球貸信号の発生または入賞の検出に基いて貸出用遊技媒体または賞品用遊技媒体を排出制御するためのパチンコ機制御回路を含むカード式パチンコ機において、前記貸出スイッチの１回の操作により設定される貸出要求数を所望の値に設定可能な貸出要求数設定手段と、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、前記貸出要求数記憶手段に所定の値が記憶されていることに基づいて遊技機に対して球貸信号を出力する球貸信号出力手段と、遊技機による遊技媒体の貸出処理に基づき前記貸出要求数記憶手段に設定されている値を更新する更新手段とを有するカード制御回路を設け、前記球貸信号の発生に基づいて貸出用遊技媒体を排出制御するためのパチンコ機制御回路を設けたことを特徴とするものである。」を、
「【００２９】【課題を解決する手段】上記問題を解決するために、請求項１のカード式パチンコ機に係る発明は、少なくとも遊技媒体の貸出可能金額データからなる遊技情報を書き込むための書込部を備えた遊技用のカードを使用し、該カードの前記書込部に書き込まれた前記貸出可能金額データを予め定められた設定モード金額単位で遊技媒体の数量に変換するための貸出信号を発生させる貸出スイッチと、前記貸出信号の発生に基いて前記貸出可能金額データを所定レートで遊技媒体の数量に変換演算するとともに該演算値が表された球貸信号を発生させるカード制御回路と、前記球貸信号の発生または入賞の検出に基いて貸出用遊技媒体または賞品用遊技媒体を排出制御するためのパチンコ機制御回路を含むカード式パチンコ機において、前記貸出スイッチの１回の操作により設定される貸出要求数を所望の値に設定可能な貸出要求数設定手段と、貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、前記貸出要求数記憶手段に所定の値が記憶されていることに基づいて
パチンコ機
共にパチンコ機が該球貸信号を受信したと判定した時点で該球貸信号の出力を停止する
パチンコ機
（５４）【発明の名称】
カード式パチンコ機
（５７）【特許請求の範囲】
　【請求項１】少なくとも遊技媒体の貸出可能金額データからなる遊技情報を書き込むための書込部を備えた遊技用のカードを使用し、
　該カードの前記書込部に書き込まれた前記貸出可能金額データを予め定められた設定モード金額単位で遊技媒体の数量に変換するための貸出信号を発生させる貸出スイッチと、
　前記貸出信号の発生に基いて前記貸出可能金額データを所定レートで遊技媒体の数量に変換演算するとともに該演算値が表された球貸信号を発生させるカード制御回路と
　前記球貸信号の発生または入賞の検出に基いて貸出用遊技媒体または賞品用遊技媒体を排出制御するためのパチンコ機制御回路を含むカード式パチンコ機において、
　前記貸出スイッチの１回の操作により貸し出される貸出要求数を所望の値に設定可能な貸出要求数設定手段と、
　貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、
　前記貸出要求数記憶手段に所定の値が記憶されていることに基づいて
パチンコ機
と共にパチンコ機が該球貸信号を受信したと判定した時点で該球貸信号の出力を停止する
　
パチンコ機
　前記球貸信号の発生に基づいて貸出用遊技媒体を排出制御するためのパチンコ機制御回路を設けたことを特徴とするカード式パチンコ機。
【発明の詳細な説明】
　【０００１】
　【産業上の利用分野】
　本発明は、カード式パチンコ機の改良に関するものである。
　【０００２】
　【従来の技術】
　パチンコ機を使用した遊技は、遊技媒体すなわち遊技球の貸し出しを受けたのち、この遊技球を球発射装置の操作によって遊技盤に発射して行われる。そして手持ちの遊技球が減少したときには所望数の遊技球の貸し出しを新たに受け、適宜パチンコ機の受け皿に補給する。この遊技球を紙幣または硬貨によって貸し出しを受ける代りに、カードによって遊技球を貸し出すようにしたカード式パチンコ機があり、以下にカード式パチンコ機の従来例を説明する。
　【０００３】
　図１６において、１はパチンコ遊技用のプリペイドカードを示しており、このカード１には後述する遊技情報を書き込むための書込部（破線参照）２が設けられている。書込部２には遊技情報がバーコードなどの２値情報として磁気記録される。上記遊技情報は、プリペイド金額に相当する遊技球の貸出可能金額データ、遊技場の識別データ、カード１に固有のＩＤ符号データおよび日付時刻データなどから構成される。
　【０００４】
　図１７は球貸機に相当する装着部３と、パチンコ機４とを示している。装着部３は、カード搬送装置６およびカードデータリードライト装置７からなる挿入部（破線参照）５と、貸出スイッチとしての球貸スイッチ８と、カード制御回路９とを備え、装着部３およびパチンコ機４は交信可能に接続されている。なお球貸スイッチ８はパチンコ機４側に設けられている。
　【０００５】
　挿入部５はカード１を装着部３に装着するためのもので、挿入部５から挿入されたカード１はカード搬送装置６によって所定位置まで搬送され、遊技終了時には挿入部５から排出される。
　【０００６】
　カードデータリードライト装置７はリードライトヘッドからなり、書込部２から遊技情報を読み出すとともに、遊技情報を書込部２に書き込む機能を備えている。カード搬送装置６は、挿入部５に挿入されたカード１をカードデータリードライト装置７が書込部２の遊技情報を読み込み、かつ、遊技情報を書込部２に書き込み可能な位置（以下、読込・書込可能な位置という）に搬送または読込・書込可能位置にあるカード１を排出位置に搬送するためのものである。
　【０００７】
　球貸スイッチ８は上述した貸出可能金額データを所定レートで遊技球数データに換球演算し、その演算値に基いて遊技球を貸出しするためのものである。球貸スイッチ８が操作されたとき、カードデータリードライト装置７によって読み出された遊技情報が有価カード１であると判定され、貸出可能金額データが零でないときに動作は有効になる。そして球貸スイッチ８を操作することにより貸出信号が発生され、この貸出信号はカード制御回路９に入力される。
　【０００８】
　球貸スイッチ８から発生される貸出信号は、カード制御回路９によって貸出可能金額データを遊技媒体の数量に変換演算させるためのもので、この変換演算は予め定められた設定モード金額単位でなされる。
　【０００９】
　カード制御回路９はパチンコ機４の一部、カード搬送装置６およびカードデータリードライト装置７を制御し、かつ、書込部２に書き込まれた貸出可能金額データを所定レートで遊技球数データに換球演算するためのものである。
　【００１０】
　このためにカード制御回路９には、カード搬送装置６を制御する搬送装置動作信号を発生させる機能と、書込部２から読み出された遊技情報に基いて遊技媒体貸出可能信号を発生させる機能と、球貸スイッチ８の操作による貸出信号の発生に基いて貸出可能金額データを所定レートで遊技球数データに換球演算し、該換球演算値が表された球貸信号（貸出要求信号）を発生させる機能とが備えられている。この換球演算の結果、遊技球は、所定レートで換球された分だけ貸し出され、この貸し出し処理が終了すると可能金額データが減算される。
　【００１１】
　なお搬送装置動作信号は取込信号および排出信号からなり、取込信号は、カードデータリードライト装置７が挿入部５に挿入されたカード１の書込部２から遊技情報を読込・書込可能な位置にカード１をカード搬送装置６によって搬送するためのもので、排出信号はカード１を読込・書込可能位置から排出位置に搬送するためのものである。
　【００１２】
　また遊技媒体貸出可能信号は、書込部２に書き込まれた遊技情報のうち、貸出可能金額データが零でないときに発生される。書込部２に書き込まれた遊技情報のうち、貸出可能金額データが零でないとき、このカード１を有価カード１ということにする。またカード制御回路９によって発生された球貸信号は、パチンコ機制御回路１０に入力される。この球貸信号は、カード制御回路９遊技者が有価カード１に書き込まれた貸出可能金額データを遊技球数データに換球（変換）演算した結果に基いて遊技球を貸し出すための起動信号である。
　【００１３】
　パチンコ機４の各部はパチンコ機制御回路１０によって制御される。
　【００１４】
　貸球賞球排出装置１１は遊技球および賞品球を図示を省略した受け皿に払い出すためのもので、遊技球および賞品球はタンクに予め貯溜されている。貸球賞球排出装置１１は、カード制御回路９を介して球貸信号が入力されたときには、遊技球を貸し出しのために払い出す一方、入賞球検出信号がパチンコ機制御回路１０から直接入力されたときには賞品球を払い出す。
　【００１５】
　なお、１２はカード返却スイッチで、カード１の返却を要求する際にカード返却スイッチ１２を操作することにより、カード返却信号がカード制御回路９に入力される。
　【００１６】
　こののちカードデータリードライト装置７は遊技情報を書込部２に書き込んだのち、カード制御回路９はカード搬送装置６によって読込・書込可能な位置にあるカード１を排出位置に搬送する。またカード返却スイッチ１２はパチンコ機４側に設けられているが、装着部３の一部を構成するものである。
　【００１７】
　また１３は球発射装置で、球発射装置１３を操作することによって遊技球を遊技盤面（図示省略）に発射することができる。球発射装置１３には１分間に１００発程度の遊技球を打ち出す機能が備えられている。
　【００１８】
　このように構成されたカード式パチンコ機を使用するときには、有価カード１を挿入部５に挿入すると、カード制御回路９は取込信号を発生させてカード搬送装置６を起動することにより、上記有価カード１を読込・書込可能な位置に搬送する。
　【００１９】
　ついでカード制御回路９はカードデータリードライト装置７を介して、カード１の遊技情報を読み込む。そしてカード１に不都合がない場合、カード制御回路９は遊技媒体貸出可能信号を発生させる。
　【００２０】
　つづいて球貸スイッチ８を操作すると、この有価カード１の貸出可能金額データが零でないとき、貸出信号がカード制御回路９に入力される。カード制御回路９は、この貸出信号に基いて貸出可能金額データを所定レートで遊技球数データに換球演算し、該換球演算値が表された球貸信号を発生させる。
　【００２１】
　この球貸信号はカード制御回路９からパチンコ機制御回路１０を介して貸球賞球排出装置１１に入力され、貸球賞球排出装置１１は、所定数の遊技球を貸し出しのために受け皿に払い出す。これにより遊技者は、球発射装置１３の操作によって遊技を進行させることができ、同様の操作を繰り返すことにより遊技を継続させながら遊技球を補給できる。
　【００２２】
　上述したようにカード制御回路９による換球演算は、上記設定モード金額単位でなされるのであるが、設定モード金額は現在、最低単位が一般に１００円／２５球に定められている。他方、球発射装置１３には１分間に１００発程度の遊技球をを打ち出す機能が備えられていることから、最低単位の設定モード金額すなわち１００円／２５球分用の球貸スイッチ８の操作により得た遊技球で遊技し、遊技中に賞品球が得られない場合、この遊技は僅か１５秒程度で終了する。
　【００２３】
　この時間は、遊技者が球発射装置１３を所望打球力の調整に要する程度であることから、１００円／２５球分用の球貸スイッチ８が設けられていることはきわめて稀である。このため球貸スイッチ８は一般に２００円／５０球分用、３００円／７５球分用、４００円／１００球分用および５００円／１２５球分用などのいずれかを任意にまたは複数種の球貸スイッチ８をパチンコ機４に設けている。
　【００２４】
　ところが書込部２に予め書き込まれている貸出可能金額データと球貸スイッチ８に設定されている金額との組合せ、または、複数種の球貸スイッチ８の操作順序の組合せによっては、カード１の残貸出可能金額データ（残度数）が球貸スイッチ８に設定されている最低金額よりも小さくなることがある。
　【００２５】
　このような場合、従来、使用中のカード１単独による遊技球の貸出は禁止され、新たなカード１を追加してから球貸スイッチ８の操作したり、使用中のカード１を払い出すようにしていた。
　【００２６】
　これによりカード１の残貸出可能金額データが球貸スイッチ８に設定されている最低金額よりも小さくなり、かつ、現遊技球数がきわめて少なくなったときには、使用中のカード１が有価であるにも拘らず当該カード１による遊技球の貸出が受けられないことから、一旦、遊技を中断させて新たなカード１の貸与を受けたのちに該カード１の追加により遊技を再開させなければならない。
　【００２７】
　【発明が解決しようとする課題】
　このような遊技の中断は遊技意欲の減退を招くだけではなく、残り少ない遊技球のいずれかによって遊技者に有利な権利が発生した場合、上述したように新たなカードを追加しなければ遊技球を得られないので、遊技者に有利な権利が新たなカードの貸与を受けている間に消滅し、遊技意欲を減退させるという問題を招く。
　【００２８】
　そこで本発明は、カードの残貸出可能金額データが球貸スイッチに設定されている最低金額よりも小さい場合でも遊技球の貸出を可能にしたカード式パチンコ機の提供を目的とする。
　【００２９】
　【課題を解決する手段】
　上記問題を解決するために、請求項１のカード式パチンコ機に係る発明は、少なくとも遊技媒体の貸出可能金額データからなる遊技情報
を書き込むための書込部を備えた遊技用のカードを使用し、
　該カードの前記書込部に書き込まれた前記貸出可能金額データを予め定められた設定モード金額単位で遊技媒体の数量に変換するための貸出信号を発生させる貸出スイッチと、
　前記貸出信号の発生に基いて前記貸出可能金額データを所定レートで遊技媒体の数量に変換演算するとともに該演算値が表された球貸信号を発生させるカード制御回路と
　前記球貸信号の発生または入賞の検出に基いて貸出用遊技媒体または賞品用遊技媒体を排出制御するためのパチンコ機制御回路を含むカード式パチンコ機において、
　前記貸出スイッチの１回の操作により貸し出される貸出要求数を所望の値に設定可能な貸出要求数設定手段と、
　貸出スイッチが操作された時点における貸出可能金額データが前記貸出要求数設定手段により設定された値と等しい又は大きい場合には、前記貸出要求数設定手段により設定された値を記憶するとともに、貸出スイッチが操作された時点における貸出可能金額データが前記貸出要求数設定手段により設定された値よりも小さい場合には、貸出可能金額データに相当する値を記憶する貸出要求数記憶手段と、
　前記貸出要求数記憶手段に所定の値が記憶されていることに基づいて
パチンコ機
と共にパチンコ機が該球貸信号を受信したと判定した時点で該球貸信号の出力を停止する
　
パチンコ機
　前記球貸信号の発生に基づいて貸出用遊技媒体を排出制御するためのパチンコ機制御回路を設けたことを特徴とするものである。
　【００３０】
　【作用】
　カード制御回路は、貸出可能金額データが設定モード金額に達している場合、貸出スイッチの操作に基いて設定モード金額に対応する球貸信号を発生する。
　【００３１】
　他方、貸出可能金額データが設定モード金額に達していない場合、カード制御回路は貸出可能金額データの総額に対応する球貸信号を発生する。
　【００３２】
　またパチンコ機制御回路はカード制御回路から発生される球貸信号に基いて貸出用遊技媒体を排出制御する。
　【００３３】
　【実施例】
　つぎに本発明の一実施例を図面に基いて詳細に説明する。また本実施例では遊技媒体として遊技用のパチンコ球（以下、遊技球という）についてを説明することとし、図１６および図１７と同じ部材には同符号を付し、その説明は省略する。
　【００３４】
　図１は本発明のカード式パチンコ機の構成の一部を示し、本カード式パチンコ機は、図１６に示したカード１、ブラックボックス（以下、ＢＢという）１４、パチンコ機１５およびホストコンピュータとしての管理装置１６を主構成とする。
　【００３５】
　ＢＢ１４はパチンコ機１５の一部を構成するもので、図２および図３に示すように２台のパチンコ機１５，１５の間に挟まれて設置されている。ＢＢ１４は各パチンコ機１５に対して１対１に対応させて設けられ、ＢＢ１４，１４およびパチンコ機１５，１５は、それぞれ互いに交信可能に接続されている。
　【００３６】
　本実施例では、２組のＢＢ１４，１４を一体に設けることによって１ユニットが構成されている。またＢＢ１４およびパチンコ機１５と、管理装置１６とは各々交信可能に接続されている。
　【００３７】
　図１に戻ってＢＢ１４は、貸出スイッチとしての球貸スイッチ８、カード１が挿入・排出されるカードリーダーライター（破線参照）１７、カード制御回路としてのＢＢ制御回路１８、カード待機表示器兼カード忘れアラーム表示器（以下、表示器という）１９、スピーカー２０、後述する複数のモードスイッチ２１，２２，２３，２４、残度数表示器２５、そしてカード返却スイッチ２６を備えている。本実施例において球貸スイッチ８、残度数表示器２５およびカード返却スイッチ２６はパチンコ機１５側に配置されており、これらの説明は後述する。
　【００３８】
　カードリーダーライター１７はカード１をＢＢ１４に装着するためのもので、ＢＢ制御回路１８に接続され、カード搬送装置６、カードデータリードライト装置７、カード挿入検出スイッチ２７およびカード待機検出スイッチ２８を備えている。
　【００３９】
　カード挿入検出スイッチ２７およびカード待機検出スイッチ２８は、各々一対の発光・受光素子からなり、ＢＢ制御回路１８に接続されている。そしてカード挿入検出スイッチ２７およびカード待機検出スイッチ２８はカード１の挿入路および搬送路（ともに図示省略）を隔てて配置されている。
　【００４０】
　このためカード挿入検出スイッチ２７およびカード待機検出スイッチ２８は、各々の対を形成している発光・受光素子間での光線の授受がカード１によって阻止されることに基いて、カード１の有無を検出することができる。
　【００４１】
　ＢＢ制御回路１８はＣＰＵを主構成とし、図５ないし図７に示されたプログラムを順次実行する。ＢＢ制御回路１８はカード搬送装置６およびカードデータリードライト装置７を制御し、かつ、球貸スイッチ８の操作による貸出信号の発生に基いて書込部２に書き込まれた貸出可能金額データを所定レートで遊技球数データに換球演算するためのものである。そしてＢＢ制御回路１８は上記変換演算した演算値が表された球貸信号を発生させる。
　【００４２】
　ＢＢ制御回路１８にはカード搬送装置６、カードデータリードライト装置７のほかに、貸出スイッチとしての球貸スイッチ８、表示器１９、スピーカー２０、モードスイッチ２１，２２，２３，２４、残度数表示器２５、カード返却スイッチ２６、カード挿入検出スイッチ２７およびカード待機検出スイッチ２８が接続されている。
　【００４３】
　ＢＢ制御回路１８には、カード搬送装置６を制御するための搬送装置動作信号を発生させる機能と、書込部２から読み出された遊技情報に基いて遊技媒体貸出可能信号を発生させる機能と、球貸スイッチ８の操作による貸出信号の発生に基いて貸出可能金額データを所定レートで遊技球数データに換球演算し、該換球演算値が表された球貸信号を発生させる機能とが備えられている。
　【００４４】
　上記搬送装置動作信号は取込信号および排出信号からなり、取込信号はカード挿排口２９から挿入されたカード１を読込・書込可能な位置に搬送するためのもので、排出信号は読込・書込可能な位置に待機しているカード１をカード挿排口２９から排出させる位置に搬送するためのものである。
　【００４５】
　カード挿入検出スイッチ２７は、図２に示したカード挿排口２９の開口近傍の内方に位置し、カード１がカードリーダーライター１７に挿入されたとき、挿入検出信号をＢＢ制御回路１８に入力する。これに対しＢＢ制御回路１８は、挿入検出信号がカード挿入検出スイッチ２７から入力されたとき、取込信号を発生させたのちカード搬送装置６に入力する。これによりカード搬送装置６はカード挿排口２９から挿入されたカード１を読込・書込可能な位置に搬送する。
　【００４６】
　カード待機検出スイッチ２８はカードデータリードライト装置７の近傍に位置し、カード１が読込・書込可能な位置に待機したとき、待機検出信号をＢＢ制御回路１８に入力する。そして待機検出信号がカード待機検出スイッチ２８から入力され、かつ、カード返却スイッチ（後述）２６が操作されたときに、ＢＢ制御回路１８は排出信号を発生させ該排出信号をカード搬送装置６に入力する。
　【００４７】
　この排出信号の発生に基いて、カード搬送装置６は、読込・書込可能な位置に待機しているカード１をカード挿排口２９の排出位置に搬送する。なおカード待機検出スイッチ２８が待機検出信号をＢＢ制御回路１８に入力すると、ＢＢ制御回路１８は待機検出信号を表示器１９に入力する。
　【００４８】
　カード返却スイッチ２６はカード１を返却するためのもので、カード返却スイッチ２６は遊技者の操作に基いてカード返却信号をＢＢ制御回路１８に入力する。そしてＢＢ制御回路１８は遊技情報を書込部２に書き込んだのち排出信号を発生させ、カード搬送装置６によりカード１をカード挿排口２９から排出位置に搬送する。
　【００４９】
　また遊技媒体貸出可能信号は有価カード１であること、すなわち貸出可能金額データが零でないことが判定されたとき、ＢＢ制御回路１８から発生されてパチンコ機制御回路３０に入力される。
　【００５０】
　パチンコ機制御回路３０はＢＢ制御回路１８から発生された球貸信号の発生または入賞球検出スイッチ３１による入賞の検出に基いて、貸球賞球排出装置１１を駆動することにより貸出用遊技球遊技球または賞品用遊技球を排出制御する。
　【００５１】
　球貸信号は球貸スイッチ８の操作によってＢＢ制御回路１８から発生されるものである。球貸スイッチ８は操作されることによって貸出信号を発生し、貸出信号はＢＢ制御回路１８に入力される。これによりＢＢ制御回路１８は書込部２に書き込まれた遊技情報に換球演算を施し、該換球演算値のうち少なくとも遊技球数データが表された球貸信号は、パチンコ機制御回路３０に入力される。
　【００５２】
　そして上記換球演算の結果、遊技球が所定レートで換球された分だけ貸球排出装置１１から貸し出され、この貸出処理が終了すると貸出可能金額データが減算される。このように貸球賞球排出装置１１から遊技球が貸し出されるとき、パチンコ機制御回路３０は後述する排出動作信号を発生させる（図９または図１１参照）。モードスイッチ２１，２２，２３，２４は貸出可能金額データを遊技球数データに換球する際の単位当り貸出金額（以下、設定モード金額という）をＢＢ制御回路１８に設定するためのもので、本実施例では設定モード金額が２００円、３００円、４００円および５００円の４段階に設定されている。
　【００５３】
　またＢＢ制御回路１８は、貸出信号が貸出スイッチ８から発生したとき、書込部２に書き込まれた貸出可能金額データが設定モード金額に達していない場合、貸出可能金額データの総額に対応する数量の遊技球が表わされた球貸信号を発生させる。
　【００５４】
　パチンコ機制御回路３０はＢＢ制御回路１８から発生された総額要求信号に基いて、貸出可能金額データの総額に相当する貸出用遊技球を排出制御する。
　【００５５】
　残度数表示器２５はパチンコ機１５の正面で、球貸スイッチ８およびカード返却スイッチ２６の右側に位置し、７ｓｅｇまたはドットマトリクスのＬＥＤまたはＬＣＤから構成されている。残度数表示器２５はカード１の書込部２に書き込まれている遊技情報のうち、貸出可能金額データを所定の設定モード金額の度数で表示するものである。本実施例では１度が１００円であり、かつ、２５球分の遊技球に相当する場合についてを説明する。
　【００５６】
　カード返却スイッチ２６はカード１を返却させる際に操作するもので、この操作によりカード返却信号がＢＢ制御回路１８に入力されたのち、ＢＢ制御回路１８はその時点における遊技情報をカードデータリードライト装置７およびＢＢ１４に入力する。
　【００５７】
　表示器１９およびスピーカー２０は報知手段を構成しており、この報知手段は、上記待機検出信号がカード待機検出スイッチ２８から発生され、かつ、パチンコ機１５が遊技中でない場合に、有価カード１がＢＢ１４に装着されていることを報知するためのカード忘れアラーム信号を、報知信号として発生させるものである。
　【００５８】
　なお遊技中であるか否かは、パチンコ機制御回路３０からＢＢ制御回路１８に入力される後述する遊技検出信号に基いて判定される。またパチンコ機制御回路３０およびＢＢ制御回路１８は互いに交信可能に接続されている。
　【００５９】
　表示器１９はＣＲＴ、ＬＣＤまたはＬＥＤからなり、スピーカー２０には報知音源が内蔵され、表示器１９およびスピーカー２０は、ともにドライバの図示を省略している。また表示器１９は、カード待機検出スイッチ２８から発生された待機検出信号がＢＢ制御回路１８を経て入力されたときに、有価カード１がカードリーダーライター１７内に待機していることを表示する。そして上述したカード忘れアラーム信号が発生することにより、表示器１９は光を点灯または点滅表示させる一方、スピーカー２０は報知音を発生させる。
　【００６０】
　パチンコ機１５にはパチンコ機制御回路３０、入賞球検出スイッチ３１、遊技検出スイッチとしてのハンドルタッチ検出スイッチ３２、貸球排出表示器３３、賞球排出表示器３４およびスピーカー３５が備えられている。
　【００６１】
　そしてカード待機検出スイッチ２８からの待機検出信号およびカード返却スイッチ２６からのカード返却信号が発生している場合、ＢＢ機制御回路１８は図示を省略したカード返却保証タイマに予め設定された時間Ｔ３の計測を開始する。
　【００６２】
　このカード返却保証タイマは図４に示すように、パチンコ機１５がＢＢ１４からの球買信号を受信してからＢＵＳＹ信号を出力するまでに要する時間Ｔ１と、ＢＢ１４がパチンコ機１５からのＢＵＳＹ信号を受信するまでに要する時間Ｔ２との和より長く（Ｔ３＞Ｔ１＋Ｔ２）定められている。このような上記カード返却保証タイマを設けることにより、パチンコ機制御回路３０およびＢＢ制御回路１８間の信号または符号のやりとりのタイミングを図り、両制御回路１８，３０を構成している別々のＣＰＵの待機時間に起因する時間的な不都合を解消している。
　【００６３】
　上記カード返却保証タイマがタイムアップすると、ＢＢ制御回路１８はカードデータリードライト装置７により遊技情報を書込部２に書き込ませるための遊技情報信号をカードデータリードライト装置７に入力したのち、排出信号をカード搬送装置６に入力する。
　【００６４】
　入賞球検出スイッチ３１は入賞口３８に設けられ、セーフ球を検出することができる（図３参照）。入賞球検出スイッチ３１はパチンコ機制御回路３０に接続されているので、パチンコ機制御回路３０は入賞球数信号を入賞球検出スイッチ３１からの出力信号に基いて演算することができる。この入賞球数信号は貸球賞球排出装置１１に直接入力される。
　【００６５】
　貸球賞球排出装置１１は遊技球および賞品球を図２に示した受け皿３９に払い出すためのもので、遊技球および賞品球は図３に示したタンク４０に予め貯溜されている。貸球賞球排出装置１１は、パチンコ機制御回路３０からＢＢ制御回路１８を介して球貸信号が入力されたとき、遊技球を貸し出しのために払い出す一方、賞品球の払出が表された入賞球数信号がパチンコ機制御回路３０から直接入力されたときには賞品球を払い出す。
　【００６６】
　ハンドルタッチ検出スイッチ３２は、静電容量の変動に基いて球発射装置１３のハンドル（図２参照）４１が操作されたか否かを判定し、ハンドル４１が操作されていると判定された場合にはパチンコ機１５が遊技中であるとみなして、遊技検出信号を発生させる。
　【００６７】
　該遊技検出信号はパチンコ機制御回路３０に入力され、これに基いてパチンコ機制御回路３０は球発射装置１３を駆動することによって遊技球を遊技盤３６に発射し、同時にタッチ信号をＢＢ制御回路１８に入力する。これにより遊技検出信号およびタッチ信号が発生しているときには、遊技可能状態が形成されることになる。
　【００６８】
　他方、ハンドル４１が操作されていないと判定された場合、ハンドルタッチ検出スイッチ３２は遊技検出信号の発生を停止し、これによりパチンコ機制御回路３０は球発射装置１３の駆動を停止し、遊技可能状態は形成されない。
　【００６９】
　貸球排出表示器３３および賞球排出表示器３４はランプからなり、貸球排出表示器３３は、貸球が受け皿３９に排出されるときにその旨を点灯または点滅表示し、賞球排出表示器３４は、賞球が受け皿３９に排出されるときにその旨を点灯または点滅表示する。これらのドライバは図示をともに省略している。
　【００７０】
　スピーカー３５は遊技の進行に応じた効果音を発生するためのもので、ドライバは図示を省略している。
　【００７１】
　つぎに上記のように構成された本実施例のパチンコ機１５の使用手順を説明する。なおパチンコ機１５の使用手順は図示を省略したメモリに予め格納されている。このメモリには上記使用手順の他に、この使用手順を実行する際に必要とされる各種データが格納され、さらには使用手順が実行される際の演算値をメモリに一時的に格納することができる。
　【００７２】
　まずＢＢ１４側の処理いいかえればＢＢ制御回路１８が実行する命令についてを図５ないし図７に基いて以下に説明する。図５に示したｓ１ないしｓ８において、球貸スイッチ８を１回操作したときに貸し出される遊技球いいかえれば１回当りの球貸金額の最低単位を設定する。以下、この設定された球貸金額の最低単位を設定モード金額という。
　【００７３】
　上記設定モード金額を設定するには、ｓ１において４００円用のモードスイッチ２１の操作有無が判定され、モードスイッチ２１が操作されていると判定された場合にはｓ２において４００円用の設定モード金額がセットされ、そうでない場合にはｓ３で２００円用のモードスイッチ２２の操作有無が判定される。
　【００７４】
　そして２００円用のモードスイッチ２２が操作されていると判定された場合にはｓ４において２００円用の設定モード金額がセットされ、そうでない場合にはｓ５以下が実行される。以下同様にして、ｓ５およびｓ７でモードスイッチ２３，２４の操作有無が判定されたのち、ｓ６において３００円用の設定モード金額が、またｓ８において５００円用の設定モード金額がセットされる。
　【００７５】
　なお貸球賞球排出装置１１は遊技球を最低１００円単位すなわち２５球ずつ受け皿３９に払い出すように定めてあり、本実施例においては設定モード金額を５００円にセットしている。すなわち５００円用の設定モード金額にあっては、球貸スイッチ８が１回操作されたとき、貸球賞球排出装置１１は２５球の遊技球を５回すなわち合計１２５球の遊技球を受け皿３９に払い出す。同様に設定モード金額が３００円にセットされている場合、貸球賞球排出装置１１は２５球の遊技球を３回すなわち合計７５球の遊技球を受け皿３９に払い出す。
　【００７６】
　このようにしてｓ２、ｓ４、ｓ６またはｓ８のいずれかにおいて、設定モード金額がセットされるとｓ９にジャンプする。
　【００７７】
　他方ｓ７において５００円用のモードスイッチ２４が操作されていないと判定された場合、いずれのモードスイッチ２１，２２，２３，２４も操作されていないとみなされてｓ１にジャンプし、モードスイッチ２１，２２，２３，２４のいずれかが操作されるまでｓ１ないしｓ７をループする。
　【００７８】
　つぎにｓ９ではカード挿排口２９へのカード１の挿入有無が、カード挿入検出スイッチ２７に基いて判定され（図８および図１０のア参照）、カード１が挿入されていると判定された場合、ｓ１０でＢＢ制御回路１８は取込信号を発生させる（図８および図１０のイ参照）。これによりカード搬送装置６は、上記ｓ９でカード挿排口２９に挿入されたカード１を読込・書込可能な位置に搬送する。
　【００７９】
　そしてカード待機検出スイッチ２８は、カード１が読込・書込可能な位置に待機したとき、待機検出信号を発生させてＢＢ制御回路１８に入力すると同時に（図８および図１０のウ参照）、上記ｓ１０で発生させた取込信号の発生を停止する（図８および図１０のエ参照）。
　【００８０】
　他方ｓ９でカード挿排口２９にカード１が挿入されていないと判定された場合、カード挿排口２９にカード１が挿入されるまでｓ９をループする。
　【００８１】
　しかるのちｓ１１で、カードデータリードライト装置７はカード１の書込部２に書き込まれている遊技情報を読み取るとともに該遊技情報を上記メモリに格納し（図８および図１０のオ参照）、該遊技情報に基いてセキュリティチェックが実行される（ｓ１２）。
　【００８２】
　このｓ１２におけるセキュリティチェックで、遊技情報に不都合があった場合には後述するｓ４３にジャンプする一方、遊技情報が良好であると判定された場合、ＢＢ制御回路１８は遊技球貸出可能信号を発生させ、かつ、残度数表示器２５には残度数が表示されたのちｓ１３が実行される。
　【００８３】
　ｓ１３では遊技情報のうち貸出可能金額データの残度数の有無が判定され、この残度数がないと判定された場合には後述するｓ４２にジャンプする一方、残度数があると判定された場合には該残度数データが残度数表示器２５に表示されたのち（図８および図１０のカ参照）、図６に示したｓ１４が実行される。ｓ１４では遊技検出信号の出力有無に基いて遊技中いいかえれば遊技者がハンドル４１を操作しているか否かが判定される。
　【００８４】
　そしてパチンコ機制御回路３０が図９および図１１のハに示すように、タッチ信号を発生していない（すなわちＬ信号を出力している）場合、すでに上記ｓ１０で待機検出信号が発生されてＢＢ制御回路１８に入力されているので、ｓ１６において図８および図１０のヒに示すように、ＢＢ制御回路１８はカード忘れアラーム信号を発生させる。これにより表示器１９およびスピーカー２０がドライブされて報知信号を発生させ、こののちｓ１７にジャンプする。
　【００８５】
　他方ｓ１４でハンドルタッチ検出スイッチ３２から遊技検出信号が発生され、この遊技検出信号に基いてパチンコ機制御回路３０からタッチ信号が発生されている場合（図９および図１１のフ参照）、ｓ１５において図８および図１０のへに示すように、ＢＢ制御回路１８はカード忘れアラーム信号の出力を停止またはカード忘れアラーム信号を出力しない。このため表示器１９およびスピーカー２０が、図８および図１０のヒに示すようにすでにドライブされている場合には上記報知は停止される一方、ドライブされていない場合には上記同様に表示器１９およびスピーカー２０がドライブされることはない。
　【００８６】
　このようにｓ１４ないしｓ１６のステップと、上記ｓ１０におけるカード待機検出スイッチ２８の待機検出信号を発生させるステップとによって、有価カード１をＢＢ１４内に装着したままで遊技者がハンドル４１の操作を中断したときに、ハンドルタッチ検出スイッチ３２から遊技検出信号の発生が中断され、表示器１９およびスピーカー２０が報知信号を発生させるので、遊技者が有価カード１をパチンコ機１５内に放置したまま立ち去ることを防止できる。
　【００８７】
　ついでｓ１７ではカード返却スイッチ２６が操作されているか否かが判定され、図８および図１０のトに示すようにカード返却スイッチ２６が操作されている場合、ｓ３１にジャンプする一方、そうでない場合にはｓ１８において上記球貸記憶が零であるか否かが判定される。
　【００８８】
　そしてｓ１８で球貸記憶が零であると判定された場合、ｓ１９において球貸スイッチ８の操作有無が判定される一方、そうでない場合にはｓ２３にジャンプする。ｓ１９で球貸スイッチ８が操作されていないと判定された場合には上記ｓ１３にジャンプする一方、操作されていると判定された場合（図８および図１０のキ参照）、ｓ２０が実行される。
　【００８９】
　ｓ２０においては、上記メモリに書き込まれている残度数（または貸出可能金額）が、上記ｓ７で５００円モードスイッチ２４の操作により設定された設定モード金額（５００円）よりも小さいか否かが判定され、上記残度数が上記設定モード金額よりも小さい場合、ｓ２１が実行される一方、同残度数が設定モード金額以上であるときにｓ２２にジャンプする。
　【００９０】
　そしてｓ２１で、ＢＢ制御回路１８は上記メモリに書き込まれている貸出金額の１００円に対する商を演算し、この演算値は図示を省略した上記メモリに球貸記憶として格納されるとともに（図８および図１０のク参照）、上記球貸記憶に基いて残度数すなわち貸出可能金額データの総額に対応する遊技球数が表わされた球貸信号を発生させてパチンコ機制御回路３０に入力する。
　【００９１】
　そしてパチンコ機制御回路３０は球貸信号の発生に基いて貸出可能金額データの総額に相当する貸出用遊技球を排出制御するので、残度数が設定モード金額に達していない場合にあっても、上記商に基いて所定数の遊技球を遊技者に貸し出すことができる。
　【００９２】
　他方、ｓ２２では上記メモリに書き込まれている貸出金額の１００円に対する商が演算され、この演算値は球貸記憶として上記メモリにセットされる（図８および図１０のク参照）。本実施例では設定モード金額が５００円に定めてあるので、その商は「５」になる。
　【００９３】
　上記ｓ２１またはｓ２２が実行されると、つぎにｓ２３においてパチンコ機制御回路３０から発生されるＢＵＳＹ信号の立ち上がりがＢＢ制御回路１８によって検出されたか否かが判定される。そして図９および図１１のサに示すようにＢＵＳＹ信号の立ち上がりが検出された場合、ｓ２４で球貸スイッチ８の操作に基くＢＢ制御回路１８からの球貸信号の発生を停止させ（図９および図１１のホ参照、）、ｓ１３にジャンプする。
　【００９４】
　他方ｓ２３においてＢＵＳＹ信号の立ち上がりが検出されない場合にはｓ２５にジャンプして、ＢＵＳＹ信号の立ち下がりがＢＢ制御回路１８によって検出されたか否かが判定される。
　【００９５】
　そしてｓ２５で図９および図１１のセに示すようにＢＵＳＹ信号の立ち下がりが検出された場合、ｓ２６では上記メモリに格納されている球貸記憶の値から「１」を減算する（図８および図１０のチ参照）。他方、ｓ２５でＢＵＳＹ信号の立ち下がりが検出されない場合にはｓ２９でＢＵＳＹ信号が出力されているか否かが判定される。
　【００９６】
　ついでｓ２７にあっては上記メモリに格納されている残度数から所定度数（本実施例では１度＝１００円）が図８および図１０のツに示すように減算処理される。つぎにｓ２８において図示を省略した（プリペイド）カードの決済機関および管理装置１６に売上金額を表す売上信号が入力され（図８および図１０のタ参照）、こののちｓ１３にジャンプする。
　【００９７】
　ｓ２９でＢＵＳＹ信号が出力されている場合にはｓ１３にジャンプし、そうでない場合にはｓ３０において図９のケ、図１１のケ、図９のテおよび図１１のテに示すように、球貸信号が出力されたのちｓ１３にジャンプする。また上述したｓ１７においてカード返却スイッチ２６が操作されていると判定されると、ｓ３１にジャンプして上記カード返却保証タイマに時間Ｔ３がセット・スタートされる。
　【００９８】
　そしてｓ３２において球貸信号の出力有無が判定され、球貸信号の出力がないと判定されたときにはｓ３４にジャンプする。他方、球貸信号の出力があると判定されたときにはｓ３３において、図８および図１０のナに示すように球貸信号の出力が停止される。
　【００９９】
　上記ｓ３１におけるカード返却保証タイマの時間Ｔ３に係る計測は、ＢＢ制御回路１８およびパチンコ機制御回路３０間における信号の授受に係るタイミングを図るためのもので、球貸信号が発生しているときにカード返却スイッチ１２が操作されたとき、ｓ３３で球貸信号の出力をカード返却保証タイマがタイムアップするまで停止させることにより、球貸スイッチ８を操作したにもかかわらず、上記メモリ内に格納されている残度数に減算処理が施される以前にカード１がカード挿排口２９から遊技者に返却されることを防止するためのものである。
　【０１００】
　つぎに図７のｓ３４にあっては、ＢＵＳＹ信号の立ち下がりがＢＢ制御回路１８によって検出されたか否かが判定される。そして図１３マに示すようにＢＵＳＹ信号の立ち下がりが検出された場合、ｓ３５にジャンプして球貸記憶数から「１」が減算処理されたのち（図１２のミ参照）、ｓ３６において残度数が減算処理され（図１２のム参照）、ｓ３７において上記売上信号が上記カードの決済機関および管理装置１６に入力されたのち（図１３のメ参照）、ｓ３９にジャンプする。
　【０１０１】
　他方、上記ｓ３４においてＢＵＳＹ信号の立ち下がりが検出されない場合、ｓ３８にジャンプしてＢＵＳＹ信号がパチンコ機制御回路３０から出力されているか否かが判定される。そしてＢＵＳＹ信号が出力されていると判定された場合にはｓ３４にジャンプする一方、そうでない場合にはｓ３９にジャンプする。
　【０１０２】
　ｓ３９では上述したｓ３１においてセット・スタートされた上記カード返却タイマが、タイムアップ済であるか否かが判定され、タイムアップ済であると判定された場合にはｓ４０が実行される一方、そうでない場合にはｓ３４にジャンプする。
　【０１０３】
　ｓ４０では球貸記憶の残数が「０」であるか否かが判定され、球貸記憶の残数が「０」であると判定された場合にはｓ４２にジャンプする一方、そうでない場合にはｓ４１において球貸記憶の残数を「０」すなわちクリアする（図８のニ、図１０のニおよび図１２モ参照）。
　【０１０４】
　ついでｓ４２において、ＢＢ制御回路１８はカードリーダーライター１７によってカード１に残度数を含む遊技情報を書き込む（図８のヌ、図１０のヌおよび図１２のヤ参照）。該カード１への遊技情報の書き込みが終了すると、ｓ４３において該カード１はカード搬送装置６によってカード挿排口２９に排出される。（図８のネ、図１０のネおよび図１２のユ参照）。
　【０１０５】
　そして、この搬送装置６は、カード挿入検出スイッチ２７がカード１の検知によって、一旦ＯＮされたのちＯＦＦされるまでＢＢ制御回路１８によって駆動される（図８のノ、図１０のノおよび図１２のヨ参照）。
　【０１０６】
　やがて搬送装置６の動作が停止されると、ｓ４４においてカード忘れアラーム信号が出力されているか否かが判定される。そしてカード忘れアラーム信号が出力されていないと判定された場合には、ｓ４５でカード１が排出された旨を表示するためにカード忘れアラーム信号が出力されたのちにｓ４６が実行される一方、そうでない場合にはｓ４６にジャンプする。
　【０１０７】
　ついでｓ４６においてカード忘れアラーム信号の出力時間を決定するカード忘れアラームタイマをセット・スタートさせたのち（図７のラ、図９のラおよび図１２のラ参照）、ｓ４７において上記ｓ４６でスタートさせたカード忘れアラームタイマがタイムアップしたか否かが判定される。そしてｓ４７をループしながらカード忘れアラームタイマのタイムアップを待ち、カード忘れアラームタイマがタイムアップしたと判定された場合、ｓ４８においてカード忘れアラーム信号の出力を停止する（図７のリ、図９のリおよび図１２のリ参照）。
　【０１０８】
　つぎにパチンコ機１５の処理いいかえればパチンコ機制御回路３０が実行する命令についてを図１４および図１５に基いて以下に説明する。まず図１４のｓ１０１においてパチンコ機制御回路３０は、貸球賞球排出装置１１が遊技球の排出準備を完了させているか否かを図９および図１１のコに示した排出準備信号に基いて判定し、排出準備を完了させていると判定された場合にはｓ１０２が実行される一方、そうでない場合には上記ｓ１０１にジャンプする。
　【０１０９】
　ｓ１０２ではＢＢ制御回路１８から球貸信号が出力されているか否かが判定され（図９および図１１のケ参照）、球貸信号が出力されていると判定された場合にｓ１０３において図９および図１１のサに示すようにＢＵＳＹ信号を出力させる一方、そうでない場合にはｓ１０８にジャンプする。
　【０１１０】
　つぎにｓ１０４では貸球賞球排出装置１１を駆動することにより貸球の排出処理が行われ、該排出処理の実行を表わす排出動作信号が出力される（図９および図１１のシ参照）。つづいてｓ１０５では、上記ｓ１０４における排出処理動作が終了したか否かが、上記ｓ１０４で出力されている排出動作信号の立ち下がりに基いて判定される（図９および図１１のス参照）。
　【０１１１】
　そして排出処理動作が終了したと判定された場合、ｓ１０６で上記ｓ１０３におい
て出力させたＢＵＳＹ信号が出力停止される一方（図９および図１１のセ参照）、排出処理動作は終了していないと判定された場合には上記ｓ１０４にジャンプする。つぎにｓ１０７において図９および図１１のソに示すように売上信号が発生されて管理装置１６に入力される。
　【０１１２】
　上記ｓ１０８では、球発射装置１３によって遊技盤３６に発射された遊技球の入賞有無が判定され、遊技球が入賞したと判定された場合、ｓ１０９で賞品球が貸球賞球排出装置１１によって排出処理される一方、そうでない場合には上記ｓ１０１にジャンプする。そしてｓ１１０においては上記ｓ１０９における賞品球の排出処理の完了
有無が完了したか否かが判定され、排出処理が完了したと判定された場合には上記ｓ１０１にジャンプする一方、そうでない場合には上記ｓ１０９にジャンプする。
　【０１１３】
　また図１４に示したパチンコ機制御回路３０のメイン処理では、所定時間が経過する毎に図１５の割込処理を実行することにより、遊技可能状態が形成されているか否かをパチンコ機制御回路３０によって常時判定している。
　【０１１４】
　まずｓ２０１では遊技者がハンドル４１に接触しているか否かが遊技検出信号の発生有無いいかえれば遊技者の静電容量の変動に基いて判定され、ハンドル４１に接触していると判定された場合、ｓ２０２において図９および図１１のフに示すようにタッチ信号が発生される一方、そうでない場合にはｓ２０３においてタッチ信号の出力は禁止される（図９および図１１のハ参照）。
　【０１１５】
　これによりＢＢ１４はタッチ信号の有無により遊技状態であるか否かを判定できることから、カード待機検出スイッチ２８によるカード１の有無の判定に基いて、遊技終了時に有価カード１がＢＢ１４に装着されていることを検知したときに報知手段１９，２０をドライブさせることができ、かつ、カード搬送装置６をドライブしてカード１の排出位置に搬送させることができる。
　【０１１６】
　【発明の効果】
　このように本発明は上記のように構成したので、貸出可能金額データが設定モード金額よりも少ない場合であっても、カード制御回路が貸出可能金額データの総額に対応する球貸信号を発生させるので、パチンコ機制御回路は貸出可能金額データの総額に対応する数量の貸出用遊技媒体を排出制御することができる。
　【０１１７】
　これにより新たなカードを追加することなく、貸出可能金額データの総額に相当する遊技媒体の貸し出しを受けることによってパチンコ遊技を継続でき、遊技媒体の補給時に貸出可能金額データが設定モード金額よりも少なく、しかも遊技者にとって有利な権利が発生した場合であっても、新たなカードの貸与などの遊技の中断に起因して上記権利を消滅させることが防止される。また、貸出スイッチの操作により貸し出される貸出要求数はＢＢ制御回路側で設定されているので、遊技者は複数のスイッチを選択操作する必要がなく、貸出スイッチの１回の操作のみで遊技球の貸出しを行うことができ遊技に集中できる。
【図面の簡単な説明】
　【図１】
　本発明の装置の構成を示すブロック図である。
　【図２】
　図１のパチンコ機および装着部を示す正面図である。
　【図３】
　図２のパチンコ機および装着部を示す背面図である。
　【図４】
　図２のパチンコ機および装着部から発生される信号のタイミングの一部を表わす図である。
　【図５】
　図１のＢＢ制御回路によって実行される命令の一部を示す流れ図である。
　【図６】
　図５の他部を示す流れ図である。
　【図７】
　図６の他部を示す流れ図である。
　【図８】
　図４の他部を表わす図である。
　【図９】
　図８の他部を示す図である。
　【図１０】
　図８と異る例を示す図である。
　【図１１】
　図１０の他部を示す図である。
　【図１２】
　図１０と異る例を示す図である。
　【図１３】
　図１２の他部を示す図である。
　【図１４】
　図１のパチンコ機制御回路によって実行される命令の一部を示す流れ図である。
　【図１５】
　図１４の他部を示す図である。
　【図１６】
　図１の装着部およびパチンコ機を動作させるカードを示す平面図である。
　【図１７】
　従来例を示すブロック図である。
　【符号の説明】
　１　カード
　２　書込部
　８　球貸スイッチ（貸出スイッチ）
　１５　パチンコ機
　１８　ＢＢ制御回路（カード制御回路）
　３０　パチンコ機制御回路